(57)【特許請求の範囲】
【請求項１】
立体的に表示されて制御動作によって表示形態が変更され、少なくとも１つのリンクオブジェクトグループを含む立体ハンドラーが出力される立体ハンドラー領域、前記リンクオブジェクトグループのうちの少なくとも１つのリンクオブジェクトに該当するリンクオブジェクト情報が出力されるリンクオブジェクト情報領域、及び前記立体ハンドラー領域と前記リンクオブジェクト情報領域との間に配置されて前記リンクオブジェクトグループのユーザ機能特性を定義する少なくとも１つの指示子が出力される指示子領域を含む表示部と、
前記立体ハンドラーの動き又は前記立体ハンドラー上の前記少なくとも一つのリンクオブジェクトグループうちの少なくとも１つのリンクオブジェクトの選択に応じて前記リンクオブジェクト情報を収集し、収集された前記リンクオブジェクト情報を前記リンクオブジェクト情報領域に出力するように制御する制御部と、を備えることを特徴とする立体ハンドラー運用を支援する端末機。
【請求項２】
前記立体ハンドラー領域は、
タッチ動作によって一定方向に回転する前記立体ハンドラーと、
前記立体ハンドラー上に出力され、前記リンクオブジェクト情報領域に表示されるリンクオブジェクト情報に関連する少なくとも１つのリンクオブジェクト及び該リンクオブジェクトを含む複数のリンクオブジェクトで構成された少なくとも１つのリンクオブジェクトグループと、を含むことを特徴とする請求項１に記載の立体ハンドラー運用を支援する端末機。
【請求項３】
前記リンクオブジェクト情報領域は、
前記少なくとも１つのリンクオブジェクトに対応する複数個のリンクオブジェクト情報及び背景イメージと、
前記少なくとも１つのリンクオブジェクトグループに対応する複数のリンクオブジェクト情報と、
前記少なくとも１つのリンクオブジェクトに対応する少なくとも１つのリンクオブジェクト情報及びユーザ機能実行のための機能ボタンと、のうちのいずれか１つを出力することを特徴とする請求項２に記載の立体ハンドラー運用を支援する端末機。
【請求項４】
前記制御部は、
前記立体ハンドラー位置変更のための制御動作発生時に、前記立体ハンドラーの前記表示部上に出力されるサイズを変更するように制御することを特徴とする請求項２に記載の立体ハンドラー運用を支援する端末機。
【請求項５】
前記制御部は、
前記リンクオブジェクト情報領域で既定のタッチ動作発生によってリンクオブジェクト情報更新を行うように制御し、前記リンクオブジェクト情報更新発生時に前記立体ハンドラー上に出力されるリンクオブジェクトを、更新されたリンクオブジェクト情報に対応するように更新することを特徴とする請求項２に記載の立体ハンドラー運用を支援する端末機。
【請求項６】
前記少なくとも１つの指示子は、
前記立体ハンドラー領域上に出力された前記リンクオブジェクトグループが表示された位置に並ぶ位置の指示子領域に出力されることを特徴とする請求項１に記載の立体ハンドラー運用を支援する端末機。
【請求項７】
前記立体ハンドラーは、
前記リンクオブジェクト情報が出力される間に、一時的に前記表示部から除去されるか又は半透明状態で表示されることを特徴とする請求項１に記載の立体ハンドラー運用を支援する端末機。
【請求項８】
前記表示部は、
前記立体ハンドラーが出力された位置にタッチ物体が接近するか又はタッチイベントが発生した場合、除去されたか又は半透明状態の前記立体ハンドラーを元の形態で表示することを特徴とする請求項７に記載の立体ハンドラー運用を支援する端末機。
【請求項９】
前記リンクオブジェクトは、天気ウィジェットであり、
前記立体ハンドラーは、２次元で表示されるものの、立体感支援のために複数の連結された面を有するか又は曲面で形成されて球形回転動作することを特徴とする請求項１に記載の立体ハンドラー運用を支援する端末機。
【請求項１０】
表示部上の一側に立体的に表示されて制御動作によって表示形態が変更され、少なくとも１つのリンクオブジェクトグループを含む立体ハンドラーを立体ハンドラー領域に出力する段階と、
表示部上の他側に前記リンクオブジェクトグループのうちの少なくとも１つのリンクオブジェクトに該当するリンクオブジェクト情報をリンクオブジェクト情報領域に出力する段階と、
前記リンクオブジェクトグループのユーザ機能特性を定義する少なくとも１つの指示子を含む指示子領域を前記立体ハンドラー領域と前記リンクオブジェクト情報領域との間に出力する段階と、を有することを特徴とする立体ハンドラー運用方法。
【請求項１１】
前記立体ハンドラー領域を出力する段階は、
タッチ動作によって一定方向に回転する前記立体ハンドラーを出力する段階と、
前記立体ハンドラー上に出力され、前記リンクオブジェクト情報領域に表示されるリンクオブジェクト情報に関連する少なくとも１つのリンクオブジェクト及び該リンクオブジェクトを含む複数のリンクオブジェクトで構成された少なくとも１つのリンクオブジェクトグループを出力する段階と、を含むことを特徴とする請求項１０に記載の立体ハンドラー運用方法。
【請求項１２】
前記立体ハンドラー位置変更のための制御動作を発生する段階と、
前記制御動作によって前記立体ハンドラーの前記表示部上に出力されるサイズを調整する段階と、を更に含むことを特徴とする請求項１１に記載の立体ハンドラー運用方法。
【請求項１３】
前記リンクオブジェクト情報領域で既定のタッチ動作発生によってリンクオブジェクト情報更新を行う段階と、
前記リンクオブジェクト情報の更新発生時に前記立体ハンドラー上に出力されるリンクオブジェクトを、更新されたリンクオブジェクト情報に対応するように更新する段階と、を更に含むことを特徴とする請求項１１に記載の立体ハンドラー運用方法。
【請求項１４】
前記指示子領域を出力する段階は、
前記少なくとも１つの指示子を前記立体ハンドラー領域上に出力された前記リンクオブジェクトグループが表示された位置に並ぶ位置の指示子領域に出力する段階であることを特徴とする請求項１０に記載の立体ハンドラー運用方法。
【請求項１５】
立体ハンドラーを制御するための制御動作が発生した場合、前記指示子領域を一時的に前記表示部から除去する段階を更に含むことを特徴とする請求項１０に記載の立体ハンドラー運用方法。
【請求項１６】
前記立体ハンドラー及び前記指示子領域の位置変更のための制御動作を発生する段階と、
前記制御動作の発生によって前記立体ハンドラーの前記表示部上に出力されるサイズを変更し、前記立体ハンドラーのサイズ変更によって前記指示子領域の位置を変更する段階と、のうちのいずれか１つの段階を更に含むことを特徴とする請求項１０に記載の立体ハンドラー運用方法。
【請求項１７】
前記指示子領域で前記指示子の更新又は位置変更を発生する段階と、
前記立体ハンドラー上における前記少なくとも１つの前記リンクオブジェクトグループを、更新された指示子又は位置変更された指示子に対応するリンクオブジェクトグループに更新するか又は位置変更する段階と、を更に含むことを特徴とする請求項１０に記載の立体ハンドラー運用方法。
【請求項１８】
前記リンクオブジェクト情報が出力される間に、一時的に前記立体ハンドラーを前記表示部から除去する段階と、
前記リンクオブジェクト情報が出力される間に、一時的に前記立体ハンドラーを前記表示部に半透明状態で表示する段階と、のうちのいずれか１つの段階を更に含むことを特徴とする請求項１０に記載の立体ハンドラー運用方法。
【請求項１９】
前記立体ハンドラーが出力された前記表示部位置にタッチ物体が接近するか又はタッチイベントを発生する段階と、
前記除去されたか又は半透明状態の前記立体ハンドラーを元の形態で表示する段階と、を更に含むことを特徴とする請求項１８に記載の立体ハンドラー運用方法。
【請求項２０】
前記リンクオブジェクトは、天気ウィジェットであり、
前記立体ハンドラーは、２次元で表示されるものの、立体感支援のために複数の連結された面を有するか又は曲面で形成されて球形回転動作することを特徴とする請求項１０に記載の立体ハンドラー運用方法。

【発明の詳細な説明】
【技術分野】
【０００１】
本発明は、端末機のハンドラー運用に関し、より詳細には、立体オブジェクトで具現されたハンドラーを利用して多様な情報検索を行うことができるように支援する立体ハンドラー運用方法及びこれを支援する端末機に関する。
【背景技術】
【０００２】
携帯端末機は、特定のユーザ機能を支援しながらも、そのサイズが携帯することができる程度に小さいため、多くの産業及び生活分野において注目を集めている。また、最近になって、多様なユーザ機能を統合的に支援する携帯端末機が登場している。このような携帯端末機は、ユーザ機能を支援しながら、当該ユーザ機能に対応する画面を、表示部を通じて提供している。これにより、ユーザは、特定のユーザ機能を利用しながら当該機能運用による画面を通じてコンテンツを利用している。
【０００３】
このような従来の携帯端末機は、ユーザ機能運用による画面を提供しながら、ユーザが所望の多様な情報を確認することができるように支援する。例えば、従来の携帯端末機は、待機画面やメニュー画面などでユーザ設定によって特定情報、例えば天気情報などをウィジェットなどの形態で提供している。これにより、ユーザは、ウィジェット確認を通じて当該ウィジェットに事前に設定された地域の天気情報を容易に確認することができる。
【０００４】
ところが、このような従来の情報提供形態は、単純に既定の地域の情報のみを確認することができるように支援している。これにより、他の地域の天気などを確認するためには、当該ウィジェットに関連する応用プログラムを呼出し、応用プログラムで所望の地域を検索するための動作を行うなどの煩雑な動作を毎回行わなければならない。このような情報検索は、単に天気のみならず、端末機が提供するユーザ機能の大部分が様々な階層の深さ（ｄｅｐｔｈ）の選択を用いた確認方式で具現されている。これにより、ユーザが所望の情報にアクセスするのに不便さが発生しており、より直観的で且つ感性的な情報提供技術の提供が要求されていることが現況である。
【発明の概要】
【発明が解決しようとする課題】
【０００５】
本発明は、上記従来の問題点に鑑みてなされたものであって、本発明の目的は、より感性的で且つ注目に値し、より直観的なインタペーシングを通じてユーザが所望の情報をより迅速で且つ便利に検索することができるように支援する立体ハンドラー運用方法及びこれを支援する端末機を提供することにある。
【課題を解決するための手段】
【０００６】
上記目的を達成するためになされた本発明の一態様による立体ハンドラー運用を支援する端末機は、立体的に表示されて制御動作によって表示形態が変更され、少なくとも１つのリンクオブジェクトグループを含む立体ハンドラーが出力される立体ハンドラー領域、前記リンクオブジェクトグループのうちの少なくとも１つのリンクオブジェクトに該当するリンクオブジェクト情報が出力されるリンクオブジェクト情報領域、及び前記立体ハンドラー領域と前記リンクオブジェクト情報領域との間に配置されて前記リンクオブジェクトグループのユーザ機能特性を定義する少なくとも１つの指示子が出力される指示子領域を含む表示部と、前記立体ハンドラーの動き又は前記立体ハンドラー上の前記少なくとも一つのリンクオブジェクトグループうちの少なくとも１つのリンクオブジェクトの選択に応じて前記リンクオブジェクト情報を収集し、収集された前記リンクオブジェクト情報を前記リンクオブジェクト情報領域に出力するように制御する制御部と、を備える。
【０００７】
前記立体ハンドラー領域は、タッチ動作によって一定方向に回転する立体ハンドラーと、前記立体ハンドラーが表示された領域内に出力され、前記リンクオブジェクト情報領域に表示されるリンクオブジェクト情報に関連する少なくとも１つのリンクオブジェクト及び複数のリンクオブジェクトで構成された少なくとも１つのリンクオブジェクトグループのうちのいずれか１つと、を含み得る。
前記リンクオブジェクト情報領域は、前記少なくとも１つのリンクオブジェクトに対応する複数個のリンクオブジェクト情報及び背景イメージと、前記少なくとも１つのリンクオブジェクトグループに対応する複数のリンクオブジェクト情報と、前記少なくとも１つのリンクオブジェクトに対応する少なくとも１つのリンクオブジェクト情報及びユーザ機能実行のための機能ボタンと、のうちのいずれか１つを出力し得る。
前記制御部は、前記立体ハンドラー位置変更のための制御動作発生時に、前記立体ハンドラーの前記表示部上に出力されるサイズを変更するように制御し得る。
前記制御部は、前記リンクオブジェクト情報領域で既定のタッチ動作発生によってリンクオブジェクト情報更新を行うように制御し、前記リンクオブジェクト情報更新発生時に前記立体ハンドラー上に出力されるリンクオブジェクトを、更新されたリンクオブジェクト情報に対応するように更新し得る。
前記表示部は、前記リンクオブジェクトグループのユーザ機能特性を定義する少なくとも１つの指示子が出力される指示子領域を更に含み得る。
前記少なくとも１つの指示子は、前記立体ハンドラー領域上に出力された前記リンクオブジェクトグループが表示された位置に並ぶ位置の指示子領域に出力され得る。
前記立体ハンドラーは、前記リンクオブジェクト情報が出力される間に、一時的に前記表示部から除去されるか又は半透明状態で表示され得る。
前記表示部は、前記立体ハンドラーが出力された位置にタッチ物体が接近するか又はタッチイベントが発生した場合、除去されたか又は半透明状態の前記立体ハンドラーを元の形態で表示し得る。
前記リンクオブジェクトは、天気ウィジェットであり、前記立体ハンドラーは、２次元で表示されるものの、立体感支援のために複数の連結された面を有するか又は曲面で形成されて球形回転動作し得る。
【０００８】
上記目的を達成するためになされた本発明の一態様による立体ハンドラー運用方法は、表示部上の一側に立体的に表示されて制御動作によって表示形態が変更され、少なくとも１つのリンクオブジェクトグループを含む立体ハンドラーを立体ハンドラー領域に出力する段階と、表示部上の他側に前記リンクオブジェクトグループのうちの少なくとも１つのリンクオブジェクトに該当するリンクオブジェクト情報をリンクオブジェクト情報領域に出力する段階と、前記リンクオブジェクトグループのユーザ機能特性を定義する少なくとも１つの指示子を含む指示子領域を前記立体ハンドラー領域と前記リンクオブジェクト情報領域との間に出力する段階と、を有する。
【０００９】
前記立体ハンドラー領域を出力する段階は、タッチ動作によって一定方向に回転する立体ハンドラーを出力する段階と、前記立体ハンドラーが表示された領域内に出力され、前記リンクオブジェクト情報領域に表示されるリンクオブジェクト情報に関連する少なくとも１つのリンクオブジェクト及び複数のリンクオブジェクトで構成された少なくとも１つのリンクオブジェクトグループのうちのいずれか１つを出力する段階と、を含み得る。
前記立体ハンドラー運用方法は、前記立体ハンドラー位置変更のための制御動作を発生する段階と、前記制御動作によって前記立体ハンドラーの前記表示部上に出力されるサイズを調整する段階と、を更に含むことができる。
前記立体ハンドラー運用方法は、前記リンクオブジェクト情報領域で既定のタッチ動作発生によってリンクオブジェクト情報更新を行う段階と、前記リンクオブジェクト情報の更新発生時に前記立体ハンドラー上に出力されるリンクオブジェクトを、更新されたリンクオブジェクト情報に対応するように更新する段階と、を更に含むことができる。
前記立体ハンドラー運用方法は、前記リンクオブジェクトグループのユーザ機能特性を定義する少なくとも１つの指示子を含む指示子領域を出力する段階を更に含むことができる。
前記指示子領域を出力する段階は、前記少なくとも１つの指示子を前記立体ハンドラー領域上に出力された前記リンクオブジェクトグループが表示された位置に並ぶ位置の指示子領域に出力する段階であり得る。
前記立体ハンドラー運用方法は、前記立体ハンドラー制御のための制御動作が発生した場合、前記指示子領域を一時的に前記表示部から除去する段階を更に含むことができる。
前記立体ハンドラー運用方法は、前記立体ハンドラー及び前記指示子領域の位置変更のための制御動作を発生する段階と、前記制御動作の発生によって前記立体ハンドラーの前記表示部上に出力されるサイズを変更し、前記立体ハンドラーのサイズ変更によって前記指示子領域の位置を変更する段階と、のうちのいずれか１つの段階を更に含むことができる。
前記立体ハンドラー運用方法は、前記指示子領域で前記指示子の更新又は位置変更を発生する段階と、前記立体ハンドラー上における前記少なくとも１つの前記リンクオブジェクトグループを、更新された指示子又は位置変更された指示子に対応するリンクオブジェクトグループに更新するか又は位置変更する段階と、を更に含むことができる。
前記立体ハンドラー運用方法は、前記リンクオブジェクト情報が出力される間に、一時的に前記立体ハンドラーを前記表示部から除去する段階と、前記リンクオブジェクト情報が出力される間に、一時的に前記立体ハンドラーを前記表示部に半透明状態で表示する段階と、のうちのいずれか１つの段階を更に含むことができる。
前記立体ハンドラー運用方法は、前記立体ハンドラーが出力された前記表示部位置にタッチ物体が接近するか又はタッチイベントを発生する段階と、前記除去されたか又は半透明状態の前記立体ハンドラーを元の形態で表示する段階と、を更に含むことができる。
前記リンクオブジェクトは、天気ウィジェットであり、前記立体ハンドラーは、２次元で表示されるものの、立体感支援のために複数の連結された面を有するか又は曲面で形成されて球形回転動作し得る。
【発明の効果】
【００１０】
本発明による立体ハンドラー運用方法及びこれを支援する端末機によれば、情報検索をより直観的に行うように支援することができる共に、より感性的なハンドラー運用を通じて情報検索時の興味誘発と関心集中を誘導することができる。
【図面の簡単な説明】
【００１１】
【図１】本発明の一実施形態による球形ハンドラー運用を支援する端末機の構成を概略的に示す図である。
【図２】図１の制御部の構成をより詳しく示す図である。
【図３】本発明の一実施形態による球形ハンドラー運用方法を説明する流れ図である。
【図４】本発明の一実施形態による球形ハンドラー運用支援を説明する第１実施例の画面例示図である。
【図５】本発明の一実施形態による球形ハンドラー位置変更機能を説明する図である。
【図６】本発明の一実施形態による球形ハンドラー運用支援を説明する第２実施例の画面例示図である。
【図７】本発明の球形ハンドラーの多様な他の形態に対する画面例示図である。
【発明を実施するための形態】
【００１２】
以下、本発明を実施するための形態の具体例を、図面を参照しながら詳細に説明する。
【００１３】
実施形態を説明するにあたって、本発明の属する技術分野によく知られていて、本発明と直接的に関連がない技術内容については説明を省略する。また、実質的に同一の構成と機能を有する構成要素については、詳細な説明を省略する。
【００１４】
同様の理由で、図面において、一部の構成要素は、誇張するか、省略するか、又は概略的に図示し、各構成要素のサイズは、実際のサイズを反映するものではない。従って、本発明は、図面に示した相対的なサイズや間隔によって制限されない。
【００１５】
説明に先立って、以下の説明では、本発明の立体ハンドラーの具体的な例として球形ハンドラーを代表として説明する。しかし、本発明がこれに限定されるものではなく、立体ハンドラーは、多様な形態のオブジェクトに代替されるか、又は結合され得る。これについては、本明細書の最後に追加的に説明する。
【００１６】
図１は、本発明の一実施形態による球形ハンドラー運用を支援する端末機１００の構成を概略的に示すブロック図である。
【００１７】
図１を参照すると、本実施形態の端末機１００は、通信部１１０、入力部１２０、オーディオ処理部１３０、表示部１４０、格納部１５０、及び制御部１６０の構成を含む。
【００１８】
このような構成を有する本実施形態の端末機１００は、表示部１４０に球形ハンドラー領域と、球形ハンドラー操作によるリンクオブジェクト情報領域を一緒に出力することによって、情報検索を更に直観的に行うことができるように支援する。また、本実施形態の端末機１００は、情報検索を地球のような球形オブジェクトで作成された球形ハンドラーを基盤として支援することによって、より感性的で且つ興味が誘発された形態で情報検索を行うことができるように支援する。更に、本実施形態の端末機１００は、感性的な情報検索を強化するために、触覚補強のための振動部１７０を更に含み、この振動部１７０を球形ハンドラー操作と共に運用するように支援することができる。即ち、球形ハンドラーの回転によって振動部１７０の振動が発生する。振動部１７０は、設計者の意図によって除去することができ、これにより、触覚補強機能は、端末機１００の設計者の設計形態によって支援されなくてもよい。
【００１９】
通信部１１０は、端末機１００の通信機能を支援する。特に通信部１１０は、端末機１００が通信機能を支援する端末機形態で製作される場合に追加される。従って、本発明が適用される端末機１００が通信機能を支援しない場合、通信部１１０は、端末機１００の構成において省略される。通信部１１０は、端末機１００の通信機能、特に移動通信機能を支援するために移動通信モジュールの形態で設けられる。このような通信部１１０は、移動通信システムと通信チャネルを形成し、端末機１００の移動通信機能実行のための信号送受信を支援する。例えば、通信部１１０は、移動通信システムと、音声サービスチャネル、映像サービスチャネル、データサービスチャネルのうちの少なくとも１つを形成し、当該サービスチャネルによる特定信号の送受信を支援する。特に本発明の通信部１１０は、表示部１４０のリンクオブジェクト情報出力のためにリンクオブジェクト情報受信機能を支援する。即ち、通信部１１０は、リンクオブジェクト情報を提供するウェブサーバーや他の端末機などと通信チャネルを形成し、リンクオブジェクト情報を一定時間周期又はリアルタイムに受信するように支援する。
【００２０】
本実施形態の球形ハンドラー運用過程中に電話帳リスト情報検索機能が活性化された後、通信部１１０を運用することができるように配置された項目が選択されると、通信部１１０が活性化される。また、本実施形態の通信部１１０は、球形ハンドラー運用によってサーバー接続が必要なリンクオブジェクトが球形ハンドラー領域内に出力されるか又は指示されるか、或いは選択された場合、当該リンクオブジェクトに対応するリンクオブジェクト情報の自動受信のために活性化される。
【００２１】
入力部１２０は、端末機１００の運用に必要な多様な入力信号を生成する。このような入力部１２０は、端末機１００の互換可能可否によってキーボードやキーパッド、キーボタンなどの多様な入力手段で構成される。また、入力部１２０は、表示部１４０がタッチスクリーンとして提供される場合、タッチスクリーンに出力されるタッチマップの形態で構成される。特に本実施形態の入力部１２０は、球形ハンドラー運用機能がデフォルト機能として設定されていない場合、球形ハンドラー運用機能支援のための入力信号をユーザ制御によって生成することができる。
【００２２】
オーディオ処理部１３０は、端末機１００の運用過程で設定された多様なオーディオデータ及び格納部１５０に格納されたオーディオファイル再生によるオーディオデータ、外部から受信したオーディオデータなどを出力する。また、オーディオ処理部１３０は、オーディオデータ収集機能を支援する。このために、オーディオ処理部１３０は、スピーカーＳＰＫとマイクＭＩＣを含む。特にオーディオ処理部１３０は、球形ハンドラー領域が出力される過程で設定された効果音や案内音、球形ハンドラーの操作によって球形ハンドラーが作動することによって設定された動作効果音を出力する。また、オーディオ処理部１３０は、球形ハンドラー領域内に特定のリンクオブジェクトが出力されるか又は指示された場合、当該リンクオブジェクト情報に対する案内音を出力する。上述したオーディオ処理部１３０の効果音や案内音の出力をユーザ設定や設計者の意図によって省略することもできる。
【００２３】
表示部１４０は、端末機１００の運用に必要な多様な画面インターフェースを提供する。例えば、表示部１４０は、端末機１００の運用に必要な待機画面、メニュー画面などを支援する。特に本実施形態の表示部１４０は、実施形態に応じて、球形ハンドラー領域とリンクオブジェクト情報領域を含む第１実施例の画面及び球形ハンドラー領域とリンクオブジェクト情報領域及び指示子領域を含む第２実施例の画面のうちの少なくとも１つを支援する。ここで、表示部１４０は、第１実施例の画面の具現中にユーザ制御によって球形ハンドラー領域を第１実施例の画面で一時的に除去することができる。また、表示部１４０は、第２実施例の画面の具現中に球形ハンドラー領域及び指示子領域のうちの少なくとも１つをユーザ制御によって一時的に除去することができる。このような表示部１４０の多様な画面制御に関連して、後述する図面を参照してより詳しく説明する。
【００２４】
表示部１４０は、表示パネル１４１とタッチパネル１４３が重畳された形態であるタッチスクリーン形態で設けられる。表示パネル１４１には、上述した多様な画面に対応するイメージとテキストなどが出力され、上述した球形ハンドラー領域と、リンクオブジェクト情報領域、及び指示子領域のうちの少なくとも１つが出力される。タッチパネル１４３は、表示パネル１４１に出力される画面特性によってタッチイベントを正常に収集するタッチ有効領域と、収集されたタッチイベントを無視するか、又はタッチイベント収集を行わないタッチ無効領域を設定し、タッチ有効領域で発生するタッチイベントを制御部１６０に伝達する。特にタッチパネル１４３は、球形ハンドラーが表示パネル１４１に出力されると、球形ハンドラーが出力された領域をタッチ有効領域に設定する。また、タッチパネル１４３は、指示子領域をユーザ設定によってタッチ有効領域に設定することもできる。
【００２５】
格納部１５０は、端末機１００の運用に必要な多様な基本オペレーティングシステム（ＯＳ）及び多様なユーザ機能に該当するデータ又は応用プログラムとアルゴリズムなどを格納する。特に格納部１５０は、本実施形態の球形ハンドラー運用支援のための球形ハンドラー運用プログラム１５１及びリンクオブジェクト情報ＤＢ１５３を格納する。
【００２６】
球形ハンドラー運用プログラム１５１は、表示部１４０上に球形ハンドラーを出力するように支援し、球形ハンドラー運用に関連する多様な信号処理を支援するプログラムである。球形ハンドラー運用プログラム１５１は、球形ハンドラー運用を支援するために球形ハンドラー表示支援ルーチン、球形ハンドラー状態収集ルーチン、球形ハンドラー状態によるリンクオブジェクト情報出力ルーチン、収集されたタッチイベントによるリンクオブジェクト情報更新ルーチンを含む。更に、本実施形態の球形ハンドラー運用プログラム１５１は、第２実施例による球形ハンドラー支援のために指示子運用ルーチンを含むことができる。指示子運用ルーチンは、端末機が支援する多様なユーザ機能項目のうちの少なくとも１つに該当する指示子を指示子領域に出力するルーチン、指示子領域で発生する入力信号によって球形ハンドラーに出力されるリンクオブジェクト項目を更新するルーチン、指示子領域を端末機運用状態によって一時除去するか、透明又は半透明処理するか、再度表示するように支援するルーチンを含む。
【００２７】
リンクオブジェクト情報ＤＢ１５３は、球形ハンドラー運用プログラム１５１の運用によってリンクオブジェクト情報領域に出力される多様なリンクオブジェクト情報を格納するデータベースである。このリンクオブジェクト情報ＤＢ１５３は、球形ハンドラー領域に出力されるリンクオブジェクトの特性によって多様な情報を格納する。
【００２８】
例えば、球形ハンドラー領域に天気ウィジェットに関連するリンクオブジェクトが出力される場合、リンクオブジェクト情報ＤＢ１５３は、当該リンクオブジェクト、例えば各国別の地域名に該当するリンクオブジェクトの天気に関連する天気情報をリンクオブジェクト情報として格納する。この際、リンクオブジェクト情報である天気は、リアルタイムに変更されるので、当該リンクオブジェクトが球形ハンドラー領域に出力される場合、制御部１６０は、通信部１１０を活用し、リンクオブジェクト情報をリアルタイムに更新するように支援する。
【００２９】
また、球形ハンドラー領域にリンクオブジェクトとして電話帳の特定項目が出力されるか、指示又は選択された場合、リンクオブジェクト情報は、出力されるか、指示又は選択された電話帳の特定項目に対する電話帳詳細情報である。この場合、リンクオブジェクト情報ＤＢ１５３は、電話帳情報を含む。その他、リンクオブジェクト情報ＤＢ１５３は、端末機１００が球形ハンドラーを通じて提供する多様なユーザ機能に関連する情報を格納し、必要に応じて周期的に、又はリアルタイムに当該情報を更新し、更新された情報をリンクオブジェクト出力、指示又は選択によってリンクオブジェクト情報領域に出力するように支援する。
【００３０】
制御部１６０は、本実施形態による球形ハンドラー運用機能を支援するために多様な信号フロー制御と情報収集及び出力などを制御する。このような制御部１６０は、球形ハンドラーが当該領域に出力される場合、デフォルトで、又は当該領域に出力されるリンクオブジェクトによってリンクオブジェクトに関連する情報が出力されるように支援する。このために、制御部１６０は、図２に示すような構成を含む。
【００３１】
図２は、図１の制御部１６０の構成をより詳しく示す図である。
【００３２】
図２を参照すると、本実施形態の制御部１６０は、タッチ信号処理部１６１、球形ハンドラー運用部１６３、及び情報処理部１６５を含む。
【００３３】
タッチ信号処理部１６１は、端末機１００のタッチ信号処理のためにタッチパネル１４３のセッティングと、タッチ信号収集及びタッチ信号の有効又は無効を判断し、それによって球形ハンドラー運用部１６３及び情報処理部１６５に伝達する。このようなタッチ信号処理部１６１は、球形ハンドラー運用機能呼出しのための入力信号が発生すると、当該入力信号によって、球形ハンドラーが出力される領域に対するタッチパネル１４３の有効領域設定を支援し、情報領域は、タッチ無効領域設定を支援する。また、タッチ信号処理部１６１は、球形ハンドラー領域で発生するタッチ信号を球形ハンドラー運用部１６３に伝達する。
【００３４】
球形ハンドラー運用部１６３は、タッチ信号処理部１６１から球形ハンドラー領域におけるタッチ信号が伝達されると、球形ハンドラーの表示変更及びリンクオブジェクトの変更を制御する。即ち、球形ハンドラー運用部１６３は、タッチ信号処理部１６１から球形ハンドラーを作動させるタッチイベント、例えば一定方向に球形ハンドラーを回転するように指示するフリックイベントやドラッグイベントなどが発生すると、球形ハンドラーを当該タッチイベントに対応する速度と当該タッチイベントに対応する一定方向に回転するように表示する。
【００３５】
球形ハンドラー運用部１６３は、タッチイベント発生によって、球形ハンドラー領域に出力されるリンクオブジェクトを更新する。この際、球形ハンドラー領域に出力されるリンクオブジェクトは、複数個であり得、また、リンクオブジェクトは、種類の異なる多数個がグループ別に出力され得る。これにより、球形ハンドラー運用部１６３は、ユーザ設定や最初の設計方式によって少なくとも１つのリンクオブジェクト及び複数のリンクオブジェクトで構成された少なくとも１つのリンクオブジェクトグループのうちのいずれか１つを出力するように支援する。
【００３６】
球形ハンドラー運用部１６３は、発生したタッチイベントによって、当該リンクオブジェクトを同一ユーザ機能の他のリンクオブジェクトに更新する。この際、球形ハンドラー運用部１６３は、出力されるリンクオブジェクト形態によって、そして発生したタッチイベントの位置によって、リンクオブジェクトの更新形態を異なるように運用する。即ち、球形ハンドラー運用部１６３は、１つのリンクオブジェクトが出力される形態の球形ハンドラーの場合、タッチイベント発生によって、球形ハンドラー領域の特定地点に新しいリンクオブジェクトを出力し、前のリンクオブジェクトを除去することによって、リンクオブジェクト更新を行う。また、球形ハンドラー運用部１６３は、少なくとも１つのリンクオブジェクトグループが出力される形態の球形ハンドラーの場合、タッチイベントによって、指示された特定リンクオブジェクトグループのリンクオブジェクトを更新するか、全体リンクオブジェクトグループのリンクオブジェクト更新を行う。
【００３７】
一方、球形ハンドラー運用部１６３は、指示子領域管理を支援することができる。即ち、球形ハンドラー運用部１６３は、少なくとも１つのリンクオブジェクトグループの種類を指示する少なくとも１つの指示子を指示子領域に出力するように支援する。また、球形ハンドラー運用部１６３は、端末機１００の状態又はユーザ要請によって指示子を一時的に表示部１４０で除去するか、半透明処理するか、除去された状態を復帰するように制御する。また、球形ハンドラー運用部１６３は、指示子領域で発生するタッチイベントによって、指示子領域に出力される指示子を他の指示子に交替することができる。指示子が他の指示子に交替される場合、球形ハンドラー運用部１６３は、球形ハンドラー領域に出力されるリンクオブジェクトグループも、変更された指示子に対応して変更するように制御する。この際、球形ハンドラーの表示形態も変更される。
【００３８】
情報処理部１６５は、球形ハンドラー領域に出力される少なくとも１つのリンクオブジェクトのうち、少なくとも１つのリンクオブジェクトに該当するリンクオブジェクト情報を表示部１４０上のリンクオブジェクト情報領域に出力するように支援する。また、情報処理部１６５は、球形ハンドラー領域に出力されるか、指示されたか又は選択されたリンクオブジェクトが変更された場合、変更されたリンクオブジェクトに該当するリンクオブジェクト情報を当該領域に出力するように支援する。また、情報処理部１６５は、リンクオブジェクトグループが選択された場合、当該リンクオブジェクトグループのうちの現在の球形ハンドラー領域に出力されるリンクオブジェクトに対する情報又は当該リンクオブジェクトグループに含まれる全てのリンクオブジェクトのうちの少なくとも一部の情報をリンクオブジェクト情報領域に出力するように支援する。情報処理部１６５は、情報を出力する過程で当該ユーザ機能がリアルタイム又は一定周期情報更新を支援する機能であるかを確認し、リアルタイム又は一定周期情報更新が必要なユーザ機能の場合、通信部１１０を活性化し、リアルタイム又は一定周期に情報受信を支援し、受信した情報を基盤としてリンクオブジェクト情報領域の情報更新を支援する。
【００３９】
上述したように、本実施形態による球形ハンドラー運用機能を支援する端末機１００は、端末機が支援する多様なユーザ機能を、球形ハンドラーを利用して検索又は選択することによって、感性的で且つ便利な、そしてより速い端末機運用を支援することができる。
【００４０】
図３は、本発明の一実施形態による球形ハンドラー運用方法を説明する流れ図である。
【００４１】
図３を参照すると、本実施形態の球形ハンドラー運用方法は、先ず、端末機１００の制御部１６０が電源部の電源を各構成に供給する３０１段階を行う。この段階で、制御部１６０は、バッテリーなどの電源部の電源を各構成の運用に必要な電源に変換し、変換された電源を当該構成に供給する。特に、制御部１６０は、表示部１４０の電源供給を制御し、既定のスケジュール情報によって待機画面を表示部１４０に出力するように制御する。この際、制御部１６０は、デフォルトで球形ハンドラー運用機能が行われるようにスケジューリングされている場合、３０３段階をスキップして３０７段階に分岐する。
【００４２】
電源供給が行われ、特定の入力信号が発生すると、制御部１６０は、３０３段階に分岐し、当該入力信号が球形ハンドラー運用機能呼出しのための入力信号であるか否かを確認する。この段階で、制御部１６０は、受信した入力信号が球形ハンドラー運用機能呼出しのための信号ではない場合、３０５段階に分岐し、当該入力信号によってユーザ機能を行うように制御する。例えば、制御部１６０は、端末機１００のフラッシュ機能支援のための入力信号発生の場合、別に設けられた発光ランプを発光させて、フラッシュ機能を支援するように制御する。或いは、制御部１６０は、発生した入力信号の種類によって放送受信機能、通話機能、ゲーム機能、メッセンジャー機能、ウェブ検索機能などの多様なユーザ機能支援を行う。
【００４３】
一方、３０３段階で、球形ハンドラー運用機能呼出しのための入力信号が発生するか、上述したように、球形ハンドラー運用機能がデフォルト機能として支援される場合、制御部１６０は、３０７段階に分岐する。また、制御部１６０は、３０７段階で、球形ハンドラー運用機能支援のための画面構成を支援する。これを更に詳しく説明すると、制御部１６０は、球形ハンドラー領域が画面の一側に出力され、球形ハンドラー領域に出力されたリンクオブジェクトの情報を出力するリンクオブジェクト情報領域を画面の他側に出力するように支援する。ここで、制御部１６０は、設計方式によって球形ハンドラー領域に出力されるリンクオブジェクトを変更又は制御することができる指示子を含む指示子領域を表示部１４０に更に出力するように支援することもできる。リンクオブジェクト情報領域は、球形ハンドラー領域に含まれる少なくとも１つのリンクオブジェクトに対応する少なくとも１つのリンクオブジェクト情報を含む。
【００４４】
制御部１６０は、各領域が表示部１４０に出力されると、タッチパネル１４３のタッチ有効領域及び無効領域を設定するように制御する。即ち、制御部１６０は、球形ハンドラー領域に該当するタッチパネル１４３領域が有効領域に設定されるように制御し、リンクオブジェクト情報領域に該当するタッチパネル１４３領域が無効領域に設定されるように制御する。
【００４５】
制御部１６０は、出力されるリンクオブジェクト情報特性及びユーザ設定や設計者の意図によって、リンクオブジェクト情報領域もタッチ有効領域に設定されるように制御することもできる。例えば、リンクオブジェクト情報領域に出力された情報を基盤として特定ユーザ機能が運用されるように設計された場合、リンクオブジェクト情報領域のうちの少なくとも一部領域は、タッチ有効領域に設定される。また、リンクオブジェクト情報領域に複数個のリンクオブジェクト情報が出力される場合、当該情報をスクロールすることができるようにタッチ有効領域が設定される。
【００４６】
次に、制御部１６０は、３０９段階で、球形ハンドラー出力による既定のリンクオブジェクト情報出力を制御する。球形ハンドラーが球形ハンドラー領域に出力される段階で、既定のスケジュール情報によって、特定リンクオブジェクトが現在の表示部１４０上に出力される球形ハンドラーに含まれる。それにより、制御部１６０は、表示部１４０上に出力された球形ハンドラーに含まれるリンクオブジェクトを確認し、当該リンクオブジェクトに対応する情報を収集する。また、制御部１６０は、収集されたリンクオブジェクト情報をリンクオブジェクト情報領域に出力するように支援する。
【００４７】
ここで、表示部１４０に出力される球形ハンドラーが複数個のリンクオブジェクトを含む場合、制御部１６０は、既定のスケジュール情報によって、デフォルトに設定されたリンクオブジェクトに対応するリンクオブジェクト情報を出力するように制御する。或いは、制御部１６０は、別途のリンクオブジェクト情報出力なしにデフォルトに設定された特定テキスト、例えば“リンクオブジェクト選択要請”などに該当するテキストをリンクオブジェクト情報領域に出力するように制御する。また、制御部１６０は、現在の表示部１４０に出力されている球形ハンドラー領域を拡大したイメージをリンクオブジェクト情報領域に出力するように支援する。この球形ハンドラー拡大イメージは、球形ハンドラーにタッチイベントが発生して球形ハンドラーが一定方向に回転する間にも適用され、表示部１４０は、回転する球形ハンドラー拡大イメージを出力する。
【００４８】
次に、制御部１６０は、３１１段階で、球形ハンドラー制御動作に該当する入力信号発生の有無を確認する。この段階で、球形ハンドラー制御動作、例えばタッチ動作又は表示部１４０への一定位置まで接近する動作などが発生した場合、３１３段階に分岐して制御動作によるリンクオブジェクト情報更新を制御する。この段階で、制御部１６０は、球形ハンドラーの動作によって表示部１４０上に出力されたリンクオブジェクトが変更された場合、即ち他のリンクオブジェクトが球形ハンドラーに出力された場合、当該リンクオブジェクトに対するリンクオブジェクト情報収集を制御する。また、制御部１６０は、収集されたリンクオブジェクト情報を自動的にリンクオブジェクト情報領域に出力するように支援する。制御部１６０は、球形ハンドラーが一時的に動作を中止した場合、中止された状態で表示部１４０に出力されたリンクオブジェクトに該当する情報を基盤としてリンクオブジェクト情報領域の情報更新を制御する。或いは、制御部１６０は、球形ハンドラーが作動する間に、表示部１４０上に出力されてから除去されたリンクオブジェクトに対してリアルタイムにリンクオブジェクト情報更新を支援することもできる。更に、制御部１６０は、リンクオブジェクト情報を基盤とて特定ユーザ機能実行のための入力信号が発生した場合、当該入力信号によるユーザ機能を行うように支援する。一方、３１１段階で、球形ハンドラー制御入力信号発生がない場合、３１３段階をスキップする。
【００４９】
次に、制御部１６０は、３１５段階で、端末機１００の終了のための入力信号発生の有無を確認し、当該入力信号発生がない場合、３０３段階の前に分岐し、以降の段階を再実行するように支援する。
【００５０】
上述したように、本実施形態による球形ハンドラー運用機能を支援する方法は、ユーザに球形ハンドラーを利用して多様なリンクオブジェクトを、より感性的に、そしてより迅速且つ便利に検索することができるように支援することによって、端末機１００が支援可能なユーザ機能をよりユーザ親和的に提供するように支援することができる。
【００５１】
図４は、本発明の一実施形態による球形ハンドラー運用機能を説明する第１実施例の画面例示図である。
【００５２】
図４を参照すると、本実施形態の球形ハンドラー運用を支援する端末機１００の表示部１４０は、リンクオブジェクト情報領域２００と球形ハンドラー領域３００を出力する。ここで、本実施形態の球形ハンドラー運用機能は、天気情報提供を支援する機能の場合を仮定して説明する。
【００５３】
特に、４０１画面に示すように、リンクオブジェクト情報領域２００は、第１リンクオブジェクト情報領域２１０、第２リンクオブジェクト情報領域２２０、第３リンクオブジェクト情報領域２３０、背景領域２４０が出力される。
【００５４】
第１リンクオブジェクト情報領域２１０は、現在時刻情報を出力する領域である。第１リンクオブジェクト情報領域２１０には、今日の日付、現在時刻情報が出力される。第１リンクオブジェクト情報領域２１０に出力された時刻情報は、球形ハンドラー３１０上に出力された第１リンクオブジェクト３２１に該当する現在時刻情報である。従って、球形ハンドラー３１０上に出力された第１リンクオブジェクト３２１がユーザ制御によって変更される場合、第１リンクオブジェクト情報領域２１０は、変更された第２リンクオブジェクト３２２による現在時刻情報に更新される。時刻情報更新のために、制御部１６０は、第１リンクオブジェクト３２１に該当する位置の時刻を計算するプログラムを運用するか、又はウェブサーバーなどから当該位置の時刻情報を受信するように制御する。
【００５５】
第２リンクオブジェクト情報領域２２０は、現在温度情報を出力する領域である。ここで現在温度情報は、第１リンクオブジェクト３２１に該当する位置における現在温度情報である。この温度情報出力のために、制御部１６０は、一定周期又はリアルタイムに温度情報を収集する。温度情報収集のために、制御部１６０は、温度情報を提供するウェブサーバーなどと通信チャネルを形成し、当該サーバーから温度情報を受信する。或いは、制御部１６０は、端末機１００の現在位置と表示される位置が一致し、温度センサーが設けられた場合、当該温度センサーを利用して現在温度情報を収集して出力する。
【００５６】
第３リンクオブジェクト情報領域２３０は、第１リンクオブジェクト３２１を指示する情報及び背景領域２４０を指示する情報が出力される領域である。例えば、球形ハンドラー３１０の第１リンクオブジェクト３２１が“ｓｅｏｕｌ”に該当する位置の場合、第３リンクオブジェクト情報領域２３０は、“ｓｅｏｕｌ”に該当するテキスト情報が出力される。また、第３リンクオブジェクト情報領域２３０は、当該地域の現在天気情報に対応するテキスト情報が出力される。天気情報に対応するテキスト情報は、背景領域２４０のイメージとマッチングする情報である。
【００５７】
背景領域２４０は、天気情報に関連する背景イメージが出力される領域である。この背景領域２４０は、第３リンクオブジェクト情報領域２３０に指示された情報のうち、天気を指示する情報に該当するイメージを出力する。これを更に詳しく説明すると、第３リンクオブジェクト情報領域２３０に“ｓｕｎｎｙ”という天気に関連するテキスト情報が出力される場合、背景領域２４０は、このテキスト情報に対応する背景イメージを出力する。このため、格納部１５０は、背景領域２４０に出力する多数の天気イメージを事前に格納し、現在収集されたか又は第３リンクオブジェクト情報領域２３０に出力された背景領域指示情報によって天気イメージ更新を支援する。
【００５８】
実質的に上述した第１〜第３リンクオブジェクト情報領域２１０、２２０、２３０と背景領域２４０は、球形ハンドラー３１０に出力される第１リンクオブジェクト３２１に関連する特定ユーザ機能に対応する情報を出力する。即ち、第１〜第３リンクオブジェクト情報領域２１０、２２０、２３０及び背景領域２４０に出力される情報は、第１リンクオブジェクト３２１が指示する特定位置地点に関連して、端末機１００が提供する情報であり、そしてユーザが設定したユーザ機能に関連する情報である。
【００５９】
球形ハンドラー領域３００は、球形ハンドラー３１０と第１リンクオブジェクト３２１を含む。
【００６０】
球形ハンドラー３１０は、球形状のオブジェクトのうちの少なくとも一部が出力されて構成される。このような球形ハンドラー３１０は、球形ハンドラー領域３００内に出力され、立体感支援のために複数の連結された面を有するか又は曲面を有する。球形ハンドラー３１０は、生成されるタッチイベント又は制御入力信号によって、一定方向に回転自在に具現される。これにより、ユーザが、球形ハンドラー３１０が出力されたタッチパネル１４３上で一定方向にドラッグイベントやフリックイベントを生成した場合、球形ハンドラー３１０は、当該タッチイベントによって一定方向に回転するようになる。この際、球形ハンドラー３１０は、ドラッグイベントやフリックイベントの速度及び距離によって回転する速度及び回転量が調節される。
【００６１】
第１リンクオブジェクト３２１は、球形ハンドラー３１０上の少なくとも一地点に出力されるオブジェクトであり、このリンクオブジェクトは、特定のユーザ機能に関連する情報とリンクされている。これにより、第１リンクオブジェクト３２１が既定の方式によって表示部１４０に出力されるか、出力された後に指示されるか、又は指示された後に選択された場合、当該ユーザ機能に関連する情報出力がリンクオブジェクト情報領域２００上で行われる。このような第１リンクオブジェクト３２１は、球形ハンドラー３１０の特定地点に提供され、球形ハンドラー３１０の動作によって表示部１４０に出力されるか、又は表示部１４０から除去され、他の第２リンクオブジェクト３２２に更新される。一方、図示した図面では、球形ハンドラー３１０内に１つの第１リンクオブジェクト３２１が出力されることを例示して説明したが、本発明はこれに限定されるものではない。即ち、球形ハンドラー３１０内には、複数のリンクオブジェクトが出力され得る。複数のリンクオブジェクトが球形ハンドラー３１０内に出力される場合、表示部１４０には、リンクオブジェクト情報領域２００にいずれか１つのリンクオブジェクトに対応する情報が出力され、ユーザ指示や選択によって他のリンクオブジェクトが指示されるか又は選択されると、当該リンクオブジェクトに対する情報更新が行われる。或いは、表示部１４０は、リンクオブジェクト情報領域２００を画面分割した後、分割された画面にそれぞれのリンクオブジェクトに対するリンクオブジェクト情報を出力することもできる。
【００６２】
一方、球形ハンドラー領域３００で特定のタッチイベント、例えば球形ハンドラー３１０を一定方向に回転するようにするためのフリック（Ｆｌｉｃｋ）タッチイベントが発生すると、４０３画面のように、リンクオブジェクト情報領域２００の情報が更新される。これを更に詳しく説明すると、球形ハンドラー３１０が所定位置で一定方向に回転すると、制御部１６０は、球形ハンドラー３１０の回転方向及び回転程度のうちの少なくとも１つによって他の第２リンクオブジェクト３２２を選択するように自動制御する。また、制御部１６０は、選択された他の第２リンクオブジェクト３２２を球形ハンドラー３１０の所定領域に出力するように支援し、出力された第２リンクオブジェクト３２２に該当するリンクオブジェクト情報を利用してリンクオブジェクト情報領域２００を更新するように制御する。このため、制御部１６０は、多数のリンクオブジェクトを事前に収集し、収集されたリンクオブジェクトをタッチイベント発生によって順次に球形ハンドラー３１０の所定地点に出力するように支援する。特に、制御部１６０は、球形ハンドラー３１０及びリンクオブジェクトを移動イメージにマッピングし、回転方向及び回転程度によって球形ハンドラー３１０を回転させながら位置変化によって他のリンクオブジェクト出力及びリンクオブジェクト情報更新を行うように制御する。
【００６３】
図５は、本発明の一実施形態による球形ハンドラー３１０の位置変更を説明する図である。
【００６４】
図５を参照すると、制御部１６０は、球形ハンドラー３１０の位置変更のための制御動作が発生すると、球形ハンドラー３１０の表示部１４０上に出力されるサイズ調整を行う。このため、端末機１００は、球形ハンドラー３１０の位置変更のための入力信号を生成する入力部１２０又はメニュー選択のための表示部１４０を提供する。球形ハンドラー３１０位置変更のための入力信号又はメニュー選択が発生すると、制御部１６０は、球形ハンドラー３１０の位置移動が可能なモードに切り替える。また、ユーザ指定によって球形ハンドラー３１０の変更位置が指定されると、制御部１６０は、指定された位置に球形ハンドラー３１０を移動させるように制御する。この際、球形ハンドラー３１０が表示される形態や表示範囲は、図５に示すように変わる。これを更に詳しく説明すると、５０１画面に示すように、球形ハンドラー３１０のうち、上端の一部だけが出力された状態でユーザが球形ハンドラー３１０の位置を変更し、球形ハンドラー３１０を上側に移動させるように制御すると、制御部１６０は、５０３画面に示すように、球形ハンドラー３１０が更に多く表示されるように制御する。即ち、表示部１４０に出力される球形ハンドラー３１０の表示領域が前に比べて相対的に更に大きくなる。これにより、球形ハンドラー３１０に出力されるリンクオブジェクト３２０の個数も変わる。即ち、更に多い個数のリンクオブジェクト３２０が球形ハンドラー３１０上に同時出力される。
【００６５】
一方、球形ハンドラー３１０が表示部１４０で占める領域が大きくなるにつれて、リンクオブジェクト情報領域２００のサイズは、相対的に小さくなる。これにより、リンクオブジェクト情報領域２００に出力される情報は、前に比べてサイズがリサイジングされて出力されるか、又は前サイズを維持しながらも、位置変更が適用されて出力される。或いは、リンクオブジェクト情報領域２００に出力される複数の情報のうちの一部の情報が省略されて出力される。
【００６６】
球形ハンドラー３１０の位置移動と同様に、以下で説明する指示子領域も、位置が変更される。ここで、指示子領域は、球形ハンドラー３１０上に出力されるリンクオブジェクトグループを指示する役目を担うことによって、球形ハンドラー３１０の位置移動時に一緒に移動する。即ち、制御部１６０は、立体ハンドラーに該当する球形ハンドラー３１０及び指示子領域４００の位置変更のための制御動作発生時に、球形ハンドラー３１０の表示部１４０上に出力されるサイズを変更するように制御し、球形ハンドラー３１０のサイズ変更によって指示子領域４００の位置変更を制御する。
【００６７】
図６は、本発明の一実施形態による球形ハンドラー運用機能を説明する第２実施例の画面例示図である。
【００６８】
図６を参照すると、本実施形態の球形ハンドラー運用機能による表示部１４０は、６０１画面のように、球形ハンドラー領域３００、指示子領域４００、及びリンクオブジェクト情報領域２００を含む。このような表示部１４０の球形ハンドラー運用機能による画面出力は、端末機１００のデフォルト機能として提供され、この場合、電源供給以後に、最初の画面に適用される。
【００６９】
球形ハンドラー領域３００は、球形ハンドラー３１０と少なくとも１つのリンクオブジェクトグループ（第１〜第３リンクオブジェクトグループ３１１、３１２、３１３）を含む。球形ハンドラー３１０は、球形のオブジェクトで作成及び表示されたものであり、ユーザのタッチパネル１４３の制御によって一定方向に回転可能である。特に、本実施形態の球形ハンドラー３１０は、全体球形の形状のうちの一部領域が、表示部１４０の一側、例えば下端一側に出力される。球形ハンドラー３１０上には、リンクオブジェクトグループ（３１１、３１２、３１３）の遠近感表示のためのイメージ処理が行われる。
【００７０】
少なくとも１つのリンクオブジェクトグループ（３１１、３１２、３１３）は、球形ハンドラー３１０の所定位置に多数のリンクオブジェクトを含んで出力される。図示した図面では、３個のリンクオブジェクトグループ（３１１、３１２、３１３）が出力されたことを示すものである。各リンクオブジェクトグループ（３１１、３１２、３１３）は、指示子領域４００に出力された第１〜第３指示子４１０、４２０、４３０に関連するリンクオブジェクトを含む構成である。同一のグループに属するリンクオブジェクトは、同一のイメージ内に配置される。リンクオブジェクトグループ（３１１、３１２、３１３）に含まれるリンクオブジェクトに関する情報は、図示するように、テキストで提供される。
【００７１】
指示子領域４００は、リンクオブジェクトグループ（３１１、３１２、３１３）に対応するユーザ機能の特性を定義したテキストやアイコン及びイメージのうちの少なくとも１つで表示される指示子（第１〜第３指示子４１０、４２０、４３０）が出力される領域である。即ち、ユーザ機能が天気情報提供機能の場合、指示子は、それに対応するテキスト“ｗｅａｔｈｅｒ”で表示され、メッセージ機能の場合、メッセージアイコンで指示子が表示される。図示した図面では、第１〜第３指示子４１０、４２０、４３０が指示子領域４００に出力された形態を示す。第１〜第３指示子４１０、４２０、４３０は、例えば電話帳指示子、天気指示子、スケジュール指示子である。第１〜第３指示子４１０、４２０、４３０は、球形ハンドラー３１０に出力される第１〜第３リンクオブジェクトグループ３１１、３１２、３１３に連関する位置にそれぞれ出力される。例えば、第１〜第３指示子４１０、４２０、４３０は、第１〜第３リンクオブジェクトグループ３１１、３１２、３１３が出力されたイメージに並ぶ位置の指示子領域４００にそれぞれ出力される。
【００７２】
この指示子領域４００は、ユーザ制御によって変更可能である。例えば、ユーザが指示子領域４００をタッチした後、左側又は右側方向に移動させるタッチイベントを生成すると、指示子領域４００は、当該領域に出力された指示子が新しい指示子に更新される。このため、端末機１００は、指示子リストを格納部１５０に格納し、予め設定することによって少なくとも１つの特定指示子を指示子領域４００に出力するように支援する。また、制御部１６０は、指示子領域４００で、上述したように、指示子更新のためのタッチイベントが発生すると、タッチイベントによって、格納された他の指示子が指示子領域４００に出力されるように支援する。
【００７３】
一方、指示子領域４００で指示子が更新されると、球形ハンドラー３１０領域に出力されるリンクオブジェクトグループ（３１１、３１２、３１３）も、指示子更新によって変更される。例えば、端末機１００は、電話帳指示子、天気指示子、スケジュール指示子、イメージ指示子、メッセージ指示子、通話リスト指示子、ウェブ接続リスト指示子、証券リスト指示子などの多様な指示子を含む。例えば、電話帳指示子、天気指示子、及びスケジュール指示子が第１〜第３指示子４１０、４２０、４３０に出力されている状態で、指示子領域４００更新のためのタッチイベントが発生すると、制御部１６０は、タッチイベントによって、電話帳指示子、天気指示子、及びスケジュール指示子のうちの少なくとも１つを他の指示子に交替する。リンクオブジェクトグループ（３１１、３１２、３１３）は、指示子が交替された場合、交替された指示子に該当するリンクオブジェクトを当該球形ハンドラー３１０領域に出力する。例として、電話帳指示子が証券リスト指示子に変更されると、第１リンクオブジェクトグループ３１１の各リンクオブジェクトは、証券リスト指示子に対応するリンクオブジェクト項目に交替される。
【００７４】
指示子領域４００は、ユーザ制御によって指示子の位置変更が可能である。このため、端末機１００は、指示子領域４００における指示子の位置変更のためのメニューや特定モードを支援する。当該モードが活性化された状態で指示子の位置変更のためのイベントが発生すると、制御部１６０は、イベントによって、指示子の位置を変更するように支援する。指示子の位置が変更されると、球形ハンドラー３１０上におけるリンクオブジェクトグループ（３１１、３１２、３１３）の位置も変更される。ここで、指示子の位置変更は、指示子領域４００内で行われる。即ち、制御部１６０は、指示子領域４００で指示子の更新や位置変更が発生すると、立体ハンドラーに該当する球形ハンドラー上における少なくとも１つのリンクオブジェクトグループを、更新された指示子又は位置変更された指示子に対応するリンクオブジェクトグループに変更するか、又は位置変更するように制御する。
【００７５】
また、この指示子領域４００は、一時的に透明な状態でユーザ要請によって表示された状態に出力される。特に、指示子領域４００は、球形ハンドラー運用機能が最初に活性化された時点では、指示子領域４００に一定時間出力され、一定時間が経過すると、表示部１４０から除去されるか、又は別途の入力信号発生の前まで現在状態を維持する。或いは、指示子領域４００は、球形ハンドラー３１０上にタッチイベントが発生する間に、一時的に表示部１４０から除去され、球形ハンドラー３１０上のタッチイベントが解除された場合、再び表示部１４０に出力される。
【００７６】
指示子領域４００が表示部１４０から除去される間に、リンクオブジェクト情報領域２００は、一時的に指示子領域４００まで拡張されて運用される。その後、指示子領域４００が表示部１４０に再び出力される場合、リンクオブジェクト情報領域２００は、指示子領域４００が出力された状態のサイズにリサイジングされるか、又は指示子領域４００が拡張されたリンクオブジェクト情報領域２００上にオーバレイされて出力される。
【００７７】
リンクオブジェクト情報領域２００は、球形ハンドラー３１０に出力されたリンクオブジェクトのうちの少なくともいずれか１つに該当するリンクオブジェクト情報が出力される領域である。リンクオブジェクト情報領域２００は、図示するように、第１〜第３リンクオブジェクト情報領域２１０、２２０、２３０及び背景領域２４０を備えて構成される。６０１画面では、デフォルトで“ｓｅｏｕｌ”リンクオブジェクトが選択された状態による情報がリンクオブジェクト情報領域２００に出力された状態を示すものである。ここで、“ｓｅｏｕｌ”リンクオブジェクトは、天気指示子である第２指示子４２０に該当する第２リンクオブジェクトグループ３１２のうちの一番目のリンクオブジェクトに該当する。
【００７８】
一方、６０１画面で、ユーザは、第１指示子４１０に該当する第１リンクオブジェクトグループ３１１のうちの第１リンクオブジェクトを指示するか、又は選択されるイベントを生成する。それにより、制御部１６０は、６０３画面のように、選択された第１リンクオブジェクトに該当するリンクオブジェクト情報をリンクオブジェクト情報領域２００に出力する。例えば、表示部１４０は、“取引先１“に該当する第１リンクオブジェクト情報２０１を出力する。この際、制御部１６０は、当該第１リンクオブジェクト情報２０１を通じて、第１指示子４１０が支援するユーザ機能を直接的に運用するように表示部１４０の一側に所定の機能ボタン２０３の出力を支援する。ここで、機能ボタン２０３は、リンクオブジェクトが電話帳関連リンクオブジェクトであるため、通話連結ボタンに該当するボタンである。６０３画面では、リンクオブジェクト情報領域２００が１つのリンクオブジェクト情報２０１と１つの機能ボタン２０３領域を含む形態で示した。
【００７９】
また、６０３画面では、球形ハンドラー３１０上にタッチイベントが発生するものと仮定し、第１リンクオブジェクトの選択によって指示子領域４００が画面から除去された形態を示すものである。球形ハンドラー３１０上にタッチイベントが発生した後、当該タッチイベントが解除されると、指示子領域４００は、表示部１４０の一側に再び出力される。この際、制御部１６０は、タッチイベント解除直後、指示子領域４００が出力されるか、又は一定時間経過後に出力されるように制御する。
【００８０】
一方、ユーザは、電話帳指示子に該当するリンクオブジェクトのうち、自分が所望する他のリンクオブジェクトを検索することを所望することができる。ユーザは、６０１画面で第１リンクオブジェクトを選択したタッチイベントを維持した状態で、一定方向に球形ハンドラー３１０を回転させるドラッグイベントやフリックイベントを生成することができる。この際、ユーザは、第１リンクオブジェクトが含まれる第１リンクオブジェクトグループ３１１のイメージを基にタッチイベントを生成することができる。
【００８１】
球形ハンドラー３１０は、タッチイベントによって一定方向に回転する。球形ハンドラー３１０がタッチイベントによって回転しながら球形ハンドラー３１０上に出力された第１リンクオブジェクトグループ３１１に属するリンクオブジェクトは、当該グループに属する他のリンクオブジェクトに交替される。また、他のリンクオブジェクトが選択されるか又は他のリンクオブジェクトが事前に定義された一定位置、例えば現在の第１リンクオブジェクトの位置に留まる間に、６０５画面のように、他のリンクオブジェクトに該当するリンクオブジェクト情報がリンクオブジェクト情報領域に出力される。他のリンクオブジェクトが“カン社長”の場合、表示部１４０は、６０５画面のように、“カン社長”リンクオブジェクトに該当する情報を出力する。他のリンクオブジェクト検索完了に該当するタッチイベント解除が発生すると、制御部１６０は、図示したように、指示子領域４００を表示部１４０に再び出力するように支援する。それにより、ユーザは、当該指示子領域４００の特定指示子を選択することによって、自分が所望する特定ユーザ機能に直ちに移動することができる。
【００８２】
また、ユーザは、当該ユーザ機能の更に詳細な機能利用を所望することができる。このため、ユーザは、指示子又は球形ハンドラー３１０領域のリンクオブジェクトグループを基盤として詳細機能呼出しのための入力信号を生成することができる。例えば、ユーザは、指示子やリンクオブジェクトグループが出力された領域上でロング−プレス又はダブルタップなどの特定ジェスチャーイベントを生成する。それにより、制御部１６０は、当該イベント発生によって、ユーザ機能の詳細機能画面が表示部１４０に出力されるように支援する。例えば、電話帳指示子をユーザがロングプレスした場合、制御部１６０は、表示部１４０の全体画面を電話帳情報検索画面に切り替えるように制御する。一方、６０３画面で、ユーザは、他のリンクオブジェクトグループに属するリンクオブジェクトを選択、例えば第３指示子４３０に該当する第３リンクオブジェクトグループ３１３に属する第１リンクオブジェクトを選択することができる。それにより、制御部１６０は、選択された第１リンクオブジェクトに該当するリンクオブジェクト情報を収集し、これを６０７画面のようにリンクオブジェクト情報領域２００に出力するように支援する。この際、第１リンクオブジェクトを選択するタッチイベントが解除されると、制御部１６０は、指示子領域４００の除去だけでなく、球形ハンドラー３１０を表示部１４０から除去するか、半透明状態で処理して出力するように支援する。それにより、ユーザは、選択された第１リンクオブジェクト、例えば今日のスケジュール情報を更に詳細に確認することができる。ここで、ユーザは、他の指示子又は球形ハンドラー３１０の操作が必要な場合、球形ハンドラー３１０が除去された位置又は半透明状態の球形ハンドラー３１０上にタッチ物体を近接させることができる。これにより、制御部１６０は、タッチ物体接近又は接触によって球形ハンドラー３１０を元の状態で表示するように制御する。この際、制御部１６０は、球形ハンドラー３１０上で発生したタッチ物体接近及びタッチイベントを基盤として指示子領域４００及び球形ハンドラー３１０をそれぞれ表示部１４０上に既定の色と明暗及び形態で出力されるように支援することができる。
【００８３】
更に、リンクオブジェクト情報領域２００上でタッチドラッグ又はフリックイベントが生成され得る。それにより、制御部１６０は、当該タッチイベントをリンクオブジェクト情報領域２００の更新のためのタッチイベントとして認識し、リンクオブジェクト情報領域２００を更新する。即ち、６０３画面のリンクオブジェクト情報領域２００の表示部１４０上でタッチドラッグ又はフリックイベントが発生すると、制御部１６０は、６０５画面のリンクオブジェクト情報領域２００のような情報出力を支援する。また、制御部１６０は、リンクオブジェクトグループに出力されるリンクオブジェクトを変更するために、球形ハンドラー３１０を回転させるように制御する。結果的に、リンクオブジェクト情報領域２００の表示部１４０上で発生したタッチ動作によって、球形ハンドラーの回転及び少なくとも１つのリンクオブジェクト又は少なくとも１つのリンクオブジェクトグループ更新が行われる。即ち、制御部１６０は、リンクオブジェクト情報領域２００における既定の制御動作の発生によってリンクオブジェクト情報更新を行うように制御し、リンクオブジェクト情報の更新発生時に立体ハンドラーに該当する球形ハンドラー上に出力される少なくとも１つのリンクオブジェクトを、更新されたリンクオブジェクト情報に対応するように更新する。
【００８４】
また、６０３画面で、タッチドラッグ又はフリックイベントが第１リンクオブジェクトグループ３１１のみで発生する場合、当該領域のみが回転し、第２リンクオブジェクトグループ３１２及び第３リンクオブジェクトグループ３１３は、回転せずに、現在状態を維持することができる。
【００８５】
一方、上述した説明では、ハンドラーを球形で提供することについて説明したが、本発明はこれに限定されるものではない。即ち、球形ハンドラーは、図７に示すように、立体感を有する他の形態のハンドラーに代替可能である。また、このハンドラーは、ユーザ趣向によって選択可能になるように提供され得る。
【００８６】
図７は、本発明の球形ハンドラーの多様な他の形態に対する画面例示図である。
【００８７】
図７を参照すると、本発明の球形ハンドラーは、７０１画面〜７０３画面のように、六面体や四面体のように多面体ハンドラーに代替可能であり、立体感を有する事物、例えばボールや瓶、すいかなど多様な形態の物体に適用可能である。
【００８８】
従って、本発明の球形ハンドラーは、球形に限定されるものではなく、ユーザのタッチ入力によって一定軸を中心に回転可能な立体感を有するオブジェクトハンドラーとして理解しなければならない。
【００８９】
上述したように、本発明による立体ハンドラー運用方法及びこれを支援する端末機によれば、ユーザは、端末機を運用するにあたって、より感性的で且つ感覚的なハンドラーを利用して多様なユーザ機能に対するアクセスをより迅速且つ容易に行うことができる。これにより、本発明は、多様なユーザニーズを満足させながらも、端末機運用の多様性と共に便利さを提供することができる。
【００９０】
一方、上述した端末機１００は、その提供形態によって多様な追加モジュールを更に含むことができる。即ち、端末機１００は、近距離通信のための近距離通信モジュール、端末機１００の有線通信方式又は無線通信方式によるデータ送受信のためのインターフェース、インターネットネットワークと通信してインターネット機能を行うインターネット通信モジュール、及びデジタル放送受信と再生機能を行うデジタル放送モジュールなどのように上記で言及していない構成を更に含むこともできる。このような構成要素は、デジタル機器のコンバージョンス（ｃｏｎｖｅｒｇｅｎｃｅ）傾向によって変形が非常に多様なことから、全て列挙することはできないが、上記言及した構成要素と同等な水準の構成要素が上記デバイスに更に含まれて構成され得る。また、本発明の実施形態による端末機１００は、その提供形態によって、上述した構成において特定構成が除外されるか、又は他の構成に代替することもできることは勿論である。これは、本技術分野における通常の知識を有する者に容易に理解される。
【００９１】
また、本発明の実施形態による端末機１００は、多様な通信システムに対応する通信プロトコル（ｃｏｍｍｕｎｉｃａｔｉｏｎ  ｐｒｏｔｏｃｏｌｓ）に基づいて作動する全ての移動通信端末機（ｍｏｂｉｌｅ  ｃｏｍｍｕｎｉｃａｔｉｏｎ  ｔｅｒｍｉｎａｌｓ）を含み、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノートパソコン、及びハンドヘルドパソコンなどの全ての情報通信機器とマルチメディア機器及びそれに対する応用機器を含み得る。
【００９２】
以上、図面を参照しながら本発明の実施形態を説明したが、本発明は、上述の実施形態に限定されるものではなく、本発明の技術的範囲を逸脱しない範囲内で多様に変形実施することが可能である。
【符号の説明】
【００９３】
１００    端末機
１１０    通信部
１２０    入力部
１３０    オーディオ処理部
１４０    表示部
１４１    表示パネル
１４３    タッチパネル
１５０    格納部
１５１    球形ハンドラー運用プログラム
１５３    リンクオブジェクト情報ＤＢ
１６０    制御部
１６１    タッチ信号処理部
１６３    球形ハンドラー運用部
１６５    情報処理部
１７０    振動部
２００    リンクオブジェクト情報領域
２０１    リンクオブジェクト情報
２０３    機能ボタン
２１０、２２０、２３０    第１〜第３リンクオブジェクト情報領域
２４０    背景領域
３００    球形ハンドラー領域
３１０    球形ハンドラー
３１１、３１２、３１３    第１〜第３リンクオブジェクトグループ
３２０    リンクオブジェクト
３２１、３２２    第１、第２リンクオブジェクト
４００    指示子領域
４１０、４２０、４３０    第１〜第３指示子
【図１】
0005986001.tif 000002
【図２】
0005986001.tif 000003
【図３】
0005986001.tif 000004
【図４】
0005986001.tif 000005
【図５】
0005986001.tif 000006
【図６】
0005986001.tif 000007
【図７】
0005986001.tif 000008